(57)【特許請求の範囲】
【請求項１】
正極端子を兼ねる有底円筒型の金属缶と、この金属缶内に充填された中空円筒状の正極合剤と、この正極合剤の中空部に充填されたゲル状負極と、このゲル状負極内にその上端部を当該ゲル状負極より突出するように挿着された負極集電棒と、この負極集電棒の突出部外周面及び前記金属缶の上部内周面に配設された二重環状の絶縁ガスケットと、この絶縁ガスケットの二重環状部の間に配設された金属板と、前記集電棒の頭部に当接する負極端子を兼ねる帽子形金属封口板とを備えた円筒型アルカリ電池において、前記帽子形金属封口板の外周つば部の一部に切り欠きを設けるとともに、外周つば部の裏面に、突起を等間隔に少なくとも三ケ所以上設けたことを特徴とする円筒型アルカリ電池。
【発明の詳細な説明】
【０００１】
【発明の属する技術分野】
本発明は、安全性に優れた円筒型アルカリ電池に関するものである。
【０００２】
【従来の技術】
完全密封された円筒型アルカリ電池は、逆装填及び充電などの誤使用をした場合には、電池内部で水素ガスが発生して電池内部の圧力が上昇し、ついには破裂に至ることがある。このような破裂防止のため、ガスケットにガス抜きのための安全弁が設けられている。また、この安全弁が作動した場合、電池外部へのガス抜き経路として負極端子を兼ねる帽子形金属封口板にガス抜き孔が設けられている。
【０００３】
【発明が解決しようとする課題】
ところで、安全弁が作動した場合、水素ガスと共にアルカリ電解液が電池外部に排出されることは避けられない。さらに、アルカリ電解液が勢いよく排出されると、その電解液の飛散範囲が拡がり、機器の破損や、人身にも危険を与える可能性がある。
【０００４】
本発明（請求項１）は、上記状況に鑑みてなされたもので、その目的は安全弁が作動した場合でも水素ガス及びアルカリ電解液の排出を緩やかにして、アルカリ電解液の飛散を防止して安全性に優れた円筒型アルカリ電池を提供することにある。
【０００５】
【課題を解決するための手段】
上記目的を達成するために、本発明の請求項１は、正極端子を兼ねる有底円筒型の金属缶と、この金属缶内に充填された中空円筒状の正極合剤と、この正極合剤の中空部に充填されたゲル状負極と、このゲル状負極内にその上端部を当該ゲル状負極より突出するように挿着された負極集電棒と、この負極集電棒の突出部外周面及び前記金属缶の上部内周面に配設された二重環状の絶縁ガスケットと、この絶縁ガスケットの二重環状部の間に配設された金属板と、前記集電棒の頭部に当接する負極端子を兼ねる帽子形金属封口板とを備えた円筒型アルカリ電池において、前記帽子形金属封口板の外周つば部の一部に切り欠きを設けるとともに、外周つば部の裏面に、突起を等間隔に少なくとも三ケ所以上設けたことを特徴とする。
【０００６】
本発明（請求項１）では、安全弁が作動した場合の電池外部へのガス抜き経路として、負極端子を兼ねる帽子形金属封口板の外周つば部の一部に切り欠きを設けるとともに、外周つば部の裏面に、突起を等間隔に少なくとも三ケ所以上設けることにより、水素ガス及びアルカリ電解液の排出を緩やかにして、アルカリ電解液の飛散を防止することに成功したものである。
【０００７】
【発明の実施の形態】
以下、本発明の実施の形態を詳細に説明する。
（実施例）
図１は本発明の一実施例（請求項１対応）であるＪＩＳ規格ＬＲ６形（単３形）アルカリ電池の断面図である。
【０００８】
図において、１は正極端子を兼ねる有底円筒型の金属缶であり、この金属缶１内には円筒状に加圧成形した正極合剤２が充填されている。正極合剤２は、二酸化マンガン粉末と黒鉛粉末を混合し、これを金属缶１内に収納し所定の圧力で中空円筒状に加圧成形したものである。また、正極合剤２の中空部には、有底円筒状のセパレータ３を介してゲル状負極４が充填されている。ゲル状負極４内には真鍮製の負極集電棒５が、その上端部をゲル状負極４より突出するように挿着されている。負極集電棒５の突出部外周面及び金属缶１の上部内周面には二重環状のポリアミド樹脂からなる絶縁ガスケット６が配設されている。また、絶縁ガスケット６の二重環状部の間にはリング状金属板７が配設され、かつこの金属板７には負極端子を兼ねる帽子形金属封口板８が集電棒５の頭部に当接するように配設されている。
【０００９】
そして、金属缶１の開口縁を内方に屈曲させることによりガスケット６及びリング状金属板７で金属缶１内を密封口している。帽子形金属封口板８の外周つば部の一部に、図２に示すような、安全弁が作動した場合のガス抜き経路としての切り欠きを設けるとともに、外周つば部の裏面に、突起を等間隔に三ケ所設けている。
【００１０】
（比較例）
比較例電池として、図３に示すように、帽子形金属封口板８にガス抜き孔１３を設けた以外、実施例と同様にしてＪＩＳ規格ＬＲ６形（単３形）アルカリ電池を組み立てた。
【００１１】
以上のようにして組み立てた実施例及び比較例のアルカリ電池を、電流値１Ａにて強制充電して安全弁を作動させ、このときの電池からの電解液の飛散の具合を調べるための試験を実施した。この試験による電池を中心とした場合の電解液の飛散距離（半径）を以下の表１に示す。
【００１２】
【表１】
0004288540.tif 000002
【００１３】
この試験結果によれば、ガス抜き経路として帽子形金属封口板の外周つば部の一部に切り欠きを設けるとともに、外周つば部の裏面に、突起を、等間隔に三ケ所設けた実施例と、ガス抜き孔を設けた比較例との差は一目瞭然であり、前者の方が電解液の飛散距離が小さいことが分る。この試験では充電電流値が１Ａであり、かなり急激に電池内圧が上昇する。比較例の場合では安全弁作動と同時に勢いよく電解液が飛散するものが多かった。つまり、実施例１では切り欠きから徐々に内圧が抜けるので、比較例と比べると電解液の飛散距離が小さいと考えられる。
【００１４】
図４にガス抜き経路の拡大図を示した。帽子形金属封口板８の外周つば部裏面に突起を設けることによりリング状金属板７との間に隙間を確保でき、帽子形金属封口板８の外周つば部の一部に設けた切り欠き部へと通ずるガス抜き経路を確保することができている。比較例のガス抜き孔の場合は、ガス抜き経路が実施例に比較して直線的であるために電解液飛散距離が大きかったと考えられる。
【００１５】
また、外周つば部裏面に設ける突起を、等間隔に少なくとも三ケ所以上とした理由は、電池を組み立てたときに、負極端子を兼ねる帽子形金属封口板が傾かないようにするためであり、この点に考慮できれば、突起設置間隔を厳密に等間隔とする必要はない。
【００１６】
【発明の効果】
以上説明したように、本発明（請求項１）によると、円筒形アルカリ電池の安全弁が作動した場合の電池外部へのガス抜き経路として、負極端子を兼ねる帽子形金属封口板の外周つば部の一部に切り欠きを設けるとともに、外周つば部の裏面に、突起を、等間隔に少なくとも三ケ所以上設けることにより、水素ガス及びアルカリ電解液の排出を緩やかにして、アルカリ電解液の飛散を著しく抑えることができる。
【図面の簡単な説明】
【図１】本発明の一実施例の円筒形アルカリ電池の断面図。
【図２】同図（ａ）は図１の帽子形金属封口板の平面図、同図（ｂ）は同図（ａ）のＡ−Ａ線の断面図。
【図３】同図（ａ）は従来例の帽子形金属封口板の平面図、同図（ｂ）は同図（ａ）のＣ−Ｃ線の断面図。
【図４】ガス抜き経路の拡大図。
【符号の説明】
１…金属缶、２…正極合剤、３…セパレータ、４…ゲル状負極、５…負極集電棒、６…絶縁ガスケット、７…リング状金属板、８…帽子形金属封口板、９…ラベルジャケット、１０，１２…溝、１１…切り欠き、１３…ガス抜き孔。
【図１】
0004288540.tif 000003
【図２】
0004288540.tif 000004
【図３】
0004288540.tif 000005
【図４】
0004288540.tif 000006